【手続補正書】
【提出日】平成30年5月30日(2018.5.30)
【手続補正１】
【補正対象書類名】特許請求の範囲
【補正対象項目名】全文
【補正方法】変更
【補正の内容】
【特許請求の範囲】
【請求項１】
自走可能な下部走行体と、該下部走行体上に旋回可能に搭載された上部旋回体と、該上部旋回体に俯仰動可能に設けられたフロント装置とからなり、
前記上部旋回体は、
前側に前記フロント装置のフート部が取付けられる旋回フレームと、
前記旋回フレームの後端に設けられたカウンタウエイトと、
前記カウンタウエイトの前側に位置して前記旋回フレームの後部に前記旋回フレームの左，右方向に延在して搭載されたエンジンと、
前記エンジンの左，右方向の一側に配置され外部の空気を冷却風として吸込む冷却ファンと、
前記冷却ファンによる冷却風の流れ方向の上流側に位置するように前記冷却ファンと対面して配置された熱交換装置と、
前記エンジンが吸込む空気を清浄化するために前記エンジンに吸気管を介して接続されたエアクリーナと、
左，右の側面カバーと上面カバーとからなり前記エンジン、前記熱交換装置を含む搭載機器を覆う建屋と、
前記熱交換装置に供給される冷却風の流れ方向に対して前記熱交換装置よりも上流側に位置し、前記建屋の前記側面カバーと前記熱交換装置との間に形成された熱交換装置上流室とを備えてなる建設機械において、
前記熱交換装置上流室には、前記エアクリーナが前，後方向に延在して取付けられるエアクリーナ支持部材と、前記エアクリーナの上側に位置するグリースガン保持ブラケットとが設けられており、
前記グリースガン保持ブラケットには、給脂対象にグリースを注入するためのグリースガンが設けられていることを特徴とする建設機械。
【請求項２】
前記グリースガンは、前記グリースガン保持ブラケットに対し前，後方向に延在して取付けられた構成としてなる請求項１に記載の建設機械。
【請求項３】
前記エアクリーナ支持部材は、前記熱交換装置を挟んで前側に位置する前仕切り部材と後側に位置する後仕切り部材との間に前，後方向に延びて設けられた連結梁と、該連結梁に取付けられ前記エアクリーナを保持するためのエアクリーナ保持ブラケットとにより構成されており、
前記グリースガン保持ブラケットは、前記エアクリーナ保持ブラケットの後側に位置して前記連結梁に取付けられており、
前記エアクリーナ取付ブラケットには、前記グリースガン保持ブラケットに前記グリースガンを保持したときに前記グリースガンのハンドルを固定するハンドル固定部が設けられる構成としてなる請求項１または２に記載の建設機械。
【請求項４】
前記グリースガン保持ブラケットに保持された前記グリースガンのノズル先端の位置よりも下側の位置には、前記ノズル先端から垂れ落ちるグリースを受入れるグリース受けが設けられる構成としてなる請求項１，２または３に記載の建設機械。
【請求項５】
前記建屋の前記側面カバーは、上部位置が湾曲した曲面に形成され、
前記グリースガンは、前記熱交換装置上流室内で前記側面カバーの前記曲面と対向する位置に配置される構成としてなる請求項１，２，３または４に記載の建設機械。
【手続補正２】
【補正対象書類名】明細書
【補正対象項目名】００１２
【補正方法】変更
【補正の内容】
【００１２】
上述した課題を解決するため本発明は、自走可能な下部走行体と、該下部走行体上に旋回可能に搭載された上部旋回体と、該上部旋回体に俯仰動可能に設けられたフロント装置とからなり、前記上部旋回体は、前側に前記フロント装置のフート部が取付けられる旋回フレームと、前記旋回フレームの後端に設けられたカウンタウエイトと、前記カウンタウエイトの前側に位置して前記旋回フレームの後部に前記旋回フレームの左，右方向に延在して搭載されたエンジンと、前記エンジンの左，右方向の一側に配置され外部の空気を冷却風として吸込む冷却ファンと、前記冷却ファンによる冷却風の流れ方向の上流側に位置するように前記冷却ファンと対面して配置された熱交換装置と、前記エンジンが吸込む空気を清浄化するために前記エンジンに吸気管を介して接続されたエアクリーナと、左，右の側面カバーと上面カバーとからなり前記エンジン、前記熱交換装置を含む搭載機器を覆う建屋と、前記熱交換装置に供給される冷却風の流れ方向に対して前記熱交換装置よりも上流側に位置し、前記建屋の前記側面カバーと前記熱交換装置との間に形成された熱交換装置上流室とを備えてなる建設機械に適用される。
【手続補正３】
【補正対象書類名】明細書
【補正対象項目名】００１３
【補正方法】変更
【補正の内容】
【００１３】
請求項１の発明は、前記熱交換装置上流室には、前記エアクリーナが前，後方向に延在して取付けられるエアクリーナ支持部材と、前記エアクリーナの上側に位置するグリースガン保持ブラケットとが設けられており、前記グリースガン保持ブラケットには、給脂対象にグリースを注入するためのグリースガンが設けられていることを特徴としている。
【手続補正４】
【補正対象書類名】明細書
【補正対象項目名】００１４
【補正方法】変更
【補正の内容】
【００１４】
請求項２の発明は、前記グリースガンは、前記グリースガン保持ブラケットに対し前，後方向に延在して取付けられた構成としたことにある。
【手続補正５】
【補正対象書類名】明細書
【補正対象項目名】００１５
【補正方法】変更
【補正の内容】
【００１５】
請求項３の発明は、前記エアクリーナ支持部材は、前記熱交換装置を挟んで前側に位置する前仕切り部材と後側に位置する後仕切り部材との間に前，後方向に延びて設けられた連結梁と、該連結梁に取付けられ前記エアクリーナを保持するためのエアクリーナ保持ブラケットとにより構成されており、前記グリースガン保持ブラケットは、前記エアクリーナ保持ブラケットの後側に位置して前記連結梁に取付けられており、前記エアクリーナ取付ブラケットには、前記グリースガン保持ブラケットに前記グリースガンを保持したときに前記グリースガンのハンドルを固定するハンドル固定部が設けられる構成としたことにある。
【手続補正６】
【補正対象書類名】明細書
【補正対象項目名】００１６
【補正方法】変更
【補正の内容】
【００１６】
請求項４の発明は、前記グリースガン保持ブラケットに保持された前記グリースガンのノズル先端の位置よりも下側の位置には、前記ノズル先端から垂れ落ちるグリースを受入れるグリース受けが設けられる構成としたことにある。
【手続補正７】
【補正対象書類名】明細書
【補正対象項目名】００１７
【補正方法】変更
【補正の内容】
【００１７】
請求項５の発明は、前記建屋の前記側面カバーは、上部位置が湾曲した曲面に形成され、前記グリースガンは、前記熱交換装置上流室内で前記側面カバーの前記曲面と対向する位置に配置される構成としたことにある。
【手続補正８】
【補正対象書類名】明細書
【補正対象項目名】００１８
【補正方法】変更
【補正の内容】
【００１８】
請求項１の発明によれば、熱交換装置上流室に設けたエアクリーナ支持部材に、グリースガン保持ブラケットを介してグリースガンを保持することにより、グリースガンを熱交換装置上流室に配置することができる。この場合、グリースガン保持ブラケットは、エアクリーナの上側に配置されているので、グリースガンを、側面カバーとエアクリーナとの間に形成された空間（デッドスペース）内に収容することができる。これにより、熱交換装置の上流側に大きな機器収容スペースを確保しつつ、グリースガンを熱交換装置上流室内に収容することができる。
【手続補正９】
【補正対象書類名】明細書
【補正対象項目名】００２２
【補正方法】変更
【補正の内容】
【００２２】
請求項５の発明によれば、グリースガンを、側面カバーの上部位置に形成された曲面と対向する位置に配置することにより、グリースガンを、熱交換装置上流室の上側の角隅部に配置することができる。従って、熱交換装置上流室内に大きな機器収容スペースを確保することができる。しかも、熱交換装置に供給される冷却風の流れが、グリースガンによって妨げられるのを抑えることができ、熱交換装置に大量の冷却風を供給することができる。
【手続補正１０】
【補正対象書類名】明細書
【補正対象項目名】００４１
【補正方法】変更
【補正の内容】
【００４１】
一方、建屋１６の左側は左側面カバー１６Ｂによって構成され、この左側面カバー１６Ｂは、後述する熱交換装置上流室２０を開，閉するものである。ここで、図５に示すように、左側面カバー１６Ｂの上部位置は、上端側が熱交換装置９に向けて円弧状に湾曲した曲面１６Ｂ１となり、この曲面１６Ｂ１と対向する位置には、後述するグリースガン２８が収容される構成となっている。
【手続補正１１】
【補正対象書類名】明細書
【補正対象項目名】００５２
【補正方法】変更
【補正の内容】
【００５２】
グリースガン保持ブラケット２５は、後述のグリースガン２８を熱交換装置上流室２０内に保持するもので、エアクリーナ１０の上側に位置してエアクリーナ支持部材２１を構成する連結梁１９に取付けられている。グリースガン保持ブラケット２５は、エアクリーナ保持ブラケット２２の後側に隣接して連結梁１９に固定されることにより、エアクリーナ１０よりも上側位置で熱交換装置上流室２０内に配置されている（図５参照）。グリースガン保持ブラケット２５は、後述のグリースガン２８を熱交換装置上流室２０内で前，後方向に延在する横置き状態に保持するもので、取付部２６と、筒体保持腕部２７とにより構成されている。
【手続補正１２】
【補正対象書類名】明細書
【補正対象項目名】００６４
【補正方法】変更
【補正の内容】
【００６４】
給脂作業が終了した後には、作業者は、グリースガン保持ブラケット２５を構成する筒体保持腕部２７によって、グリースガン２８の筒体２８Ａを径方向から挟みこむように把持する。この場合、グリースガン保持ブラケット２５は、エアクリーナ１０の上側に位置してエアクリーナ支持部材２１を構成する連結梁１９に設けられている。従って、グリースガン２８は、グリースガン保持ブラケット２５に保持されることにより、エアクリーナ１０よりも上側に位置し、かつ左側面カバー１６Ｂの上部位置に設けられた曲面１６Ｂ１と対向する位置に配置することができる。この結果、グリースガン２８を、左側面カバー１６Ｂとエアクリーナ１０との間に形成された空間（デッドスペース）内に収容することができる。従って、冷却風の流れ方向における熱交換装置９の上流側に、熱に弱い各種の電装品を収容するための大きな機器収容スペースを確保しつつ、グリースガン２８を熱交換装置上流室２０内に収容することができる。